(57)【要約】      （修正有）【課題】ＥＭＩを小型の構成で抑制する。【解決手段】液晶パネルと、液晶パネルに接続されたフレキシブル基板２５を有する液晶表示部と、フレキシブル基板２５に接続し、フレキシブル基板２５を介して液晶パネルに信号を送信するメインプリント基板１０と、液晶パネルを背面にメインプリント基板１０を前面に支持するシャーシ部材１５と、シャーシ部材１５の上面に配置される操作プリント基板４６とを備え、フレキシブル基板２５は、シャーシ部材１５の上面において操作プリント基板４６の外側を通る。【選択図】図１
2012032640.tif 000002
【特許請求の範囲】
【請求項１】
表示パネルおよび前記表示パネルに接続されたフレキシブル基板を有する表示部と、
前記表示部の前記フレキシブル基板と接続され、前記フレキシブル基板を介して前記表示パネルに信号を送信する第１のプリント配線板と、
前記表示パネルを第１面に支持するとともに、前記プリント配線板を前記第１面とは反対側の第２面に支持するシャーシ部材と、
前記シャーシ部材の前記第１面および前記第２面に対してそれぞれ直交する第３面に配置される第２のプリント配線板とを備え
前記フレキシブル基板は、前記シャーシ部材の前記第３面において前記第２のプリント配線板の外側を通って前記第１のプリント配線板に接続されることを特徴とする電子機器。
【請求項２】
前記フレキシブル基板は、
前記シャーシ部材の前記第１面、前記第２面および前記第３面のいずれにも直交する第４面と平行な前記表示パネルの側面から導出され、前記表示パネルの表示面に平行な平面において導出方向が９０度変更されるように屈曲されて前記シャーシ部材の前記第３面に延びる第１の部分と、
前記第１の部分から屈曲されて前記シャーシ部材の前記第３面において前記第２のプリント配線板の外側を通る第２の部分と、
を有することを特徴とすることを特徴とする請求項１に記載の電子機器。
【請求項３】
前記シャーシ部材は金属材料から構成され、前記第１の部分と前記第２の部分の少なくとも一方は前記シャーシ部材に接触して支持されることを特徴とする請求項１または２に記載の電子機器。
【請求項４】
前記シャーシ部材は、電池のマイナス端子と電気的に接続された接地シャーシであることを特徴とする請求項１〜３のうちいずれか一項に記載の電子機器。
【請求項５】
前記電子機器は、使用者によって操作される操作部と、前記操作部を前記第１のプリント配線板に接続するフレキシブル基板と、前記操作部と前記フレキシブル基板とを支持して金属材料から構成されているプレートを有する操作ユニットを備え、
前記操作ユニットのフレキシブル基板は前記表示部のフレキシブル基板と部分的に重なっており、前記表示部のフレキシブル基板は前記プレートによってシールドされていることを特徴とする請求項１〜４のうちいずれか一項に記載の電子機器。
【発明の詳細な説明】
【技術分野】
【０００１】
本発明は電子機器に関する。
【背景技術】
【０００２】
ＥＭＩ（Ｅｌｅｃｔｒｏ  Ｍａｇｎｅｔｉｃ  Ｉｎｔｅｒｆｅｒｅｎｃｅ：電磁障害）対策として、特許文献１は、液晶表示部と電子回路とを接続し、遊びをもって相対的に移動自在に接続されるフロ−ティングコネクタを有する撮像装置を提案している。
【先行技術文献】
【特許文献】
【０００３】
【特許文献１】特開２００６−１７７９９６号公報
【発明の概要】
【発明が解決しようとする課題】
【０００４】
しかしながら、特許文献１では、フロ−ティングコネクタが背高なために液晶表示部と電子回路との距離を小さくできず、撮像装置の薄型化（小型化）が制限される。また、光軸方向において液晶表示部はフロ−ティングコネクタによって支持されるため、外部圧力に対して液晶表示部のガラスに割れが発生し易く脆弱となる。
【０００５】
そこで、本発明は、ＥＭＩを小型の構成で抑制可能な電子機器を提供することを目的とする。
【課題を解決するための手段】
【０００６】
本発明の電子機器は、表示パネルおよび前記表示パネルに接続されたフレキシブル基板を有する表示部と、前記表示部の前記フレキシブル基板と接続され、前記フレキシブル基板を介して前記表示パネルに信号を送信する第１のプリント配線板と、前記表示パネルを第１面に支持するとともに、前記プリント配線板を前記第１面とは反対側の第２面に支持するシャーシ部材と、前記シャーシ部材の前記第１面および前記第２面に対してそれぞれ直交する第３面に配置される第２のプリント配線板とを備え前記フレキシブル基板は、前記シャーシ部材の前記第３面において前記第２のプリント配線板の外側を通って前記第１のプリント配線板に接続されることを特徴とする。
【発明の効果】
【０００７】
本発明によれば、ＥＭＩを小型の構成で抑制可能な電子機器を提供することができる。
【図面の簡単な説明】
【０００８】
【図１】デジタルカメラの正面側の部分分解斜視図である。（実施例１）
【図２】図１に示すデジタルカメラの背面側の部分分解斜視図である。
【図３】図１に示すデジタルカメラの部分断面図である。
【図４】図１に示すデジタルカメラの部分拡大透過平面図である。
【図５】デジタルカメラの正面側の部分分解斜視図である。（実施例２）
【図６】図５に示すデジタルカメラの背面側の部分分解斜視図である。
【図７】図５に示すデジタルカメラの正面側の部分分解斜視図である。
【発明を実施するための形態】
【０００９】
以下、本発明の実施例を添付図面を参照して説明する。
【実施例１】
【００１０】
図１は、実施例１のデジタルカメラ（電子機器、撮像装置）の正面側の部分分解斜視図、図２は、その背面側の部分分解斜視図、図３は、デジタルカメラの正面側の部分断面図である。ここで、図１及び図２に示すように、デジタルカメラの長さ方向をＸ方向、厚み方向をＹ方向、高さ方向をＺ方向と定義する。
【００１１】
デジタルカメラは、電子部品であるカメラアッセンブリを収納する筺体を構成する上ユニット４０と前カバー５０と後カバー５２とを有する。上ユニット４０は前カバー５０と後カバー５２によって挟まれている。
【００１２】
カメラアッセンブリは、メインプリント基板（第１のプリント配線板）１０、操作ボタン群１３、シャーシ部材１５、鏡筒ユニット１８、液晶表示部（表示部）２０を有する。
【００１３】
メインプリント基板１０はシャーシ部材１５の前面側（正面側）（第２面側）に固定され、液晶表示部２０の液晶パネルの表示面とほぼ平行に配置されている。メインプリント基板１０は、撮像素子（不図示）が生成した画像デ−タをデジタル情報に変換する処理回路、システム制御部、表示制御部、シリアルＩ／Ｆ、シリアル接続端子等を実装し、コネクタ１１を有する。このため、メインプリント基板１０は、液晶表示部２０に画像信号やクロック信号等を送信し、液晶表示部２０における表示を制御する。
【００１４】
操作ボタン群１３は、液晶表示部２０の横のＹ方向において液晶表示部２０とは重ならない位置に配置され、中央に回転操作部材を含み、撮影条件の変更、液晶表示部２０の表示形態の変更、再生画面への切換えなどを行う。
【００１５】
鏡筒ユニット１８は、光学像を生成する不図示の屈曲光学系（撮影光学系）と、光学像を光電変換して画像デ−タを生成する不図示の撮像素子と、を有する。鏡筒ユニット１８は、図２に示すように、屈曲後の壁面となる背面側に開口部１８ａを有し、開口部１８ａはシャーシ部材１５で蓋をされ、剛性と遮光性が確保されている。
【００１６】
シャーシ部材１５は、金属材料から構成されてカメラアッセンブリの剛性を維持し、メインプリント基板１０や液晶表示部２０の液晶パネル２１を支持している。シャーシ部材１５は、撮像装置の電池５４のマイナス端子と電気的に接続されているメイン接地シャーシであり、様々な回路基板のグランドや金属部品が接続されている（不図示）。シャーシ部材１５の背面側（第１面側）には、液晶表示部２０および操作ボタン群１３がネジ等によって固定されている。なお、シャーシ部材１５の正面（第２面）は背面（第１面）の反対側にある。
【００１７】
上ユニット４０は、図１〜図３に示すように、樹脂製のベース部材４１、トーションバネ（ねじりバネ）４２、シャッターボタン４４、ズームレバー４５、操作プリント基板（第２のプリント配線板）４６を有する。
【００１８】
トーションバネ４２は、ズームレバー４５よりもＸ１側に位置してベース部材４１に設けられ、操作によって移動したズームレバー４５を中立位置に復帰する復帰力を与える。トーションバネ４２は、ベース部材４１の上面に設けた軸に上方向から差し込まれ、両端がベース部材４１の下側に潜り込むようにしてビス４３で抜け止めされている。トーションバネ４２の下にはフレキシブル基板２５が配置されているが、トーションバネ４２を上から取り付けるのでトーションバネ４２はフレキシブル基板２５とは取り付けの前後で干渉しない。
【００１９】
シャッターボタン４４を半押しすると、撮影準備動作（測光動作や測距動作等）が開始し、全押しをすると、被写体を撮影する。シャッターボタン４４は、このように撮影時に操作され、図４を参照して後述されるシャッタースイッチ４８をオンする。シャッターボタン４４の周囲には、回転操作型のズームレバー（操作手段）４５が取り付けられ、操作者によるズーム操作を受け付ける。
【００２０】
図３に示すように、ズームレバー４５は、その底部にズーム速度切替えブラシ４５ａを有する。ズーム速度切替えブラシ４５ａは、金属片で構成されて先端が二股になった二本の接触子からなるブラシ部４５ｂを有する。ブラシ部４５ｂは、操作プリント基板４６のズーム接点部４９上を摺動移動し、使用者によるズームレバー４５への操作角度に応じて、非作動、ズ−ム動作方向の切替えと、ズ−ム速度の切替えを行う。
【００２１】
操作プリント基板４６は、ベース部材４１の裏面に固定され、ＸＹ平面に延びており、シャーシ部材１５の背面（第１面）及び前面（正面）（第２面）と直交する上面（第３面）に配置される。操作プリント基板４６のＸ１側の端部は、シャーシ部材１５の縁部まで延びておらず、ズームスイッチ４５のＸ１側の縁部の近傍までしか延びていない。そして、操作プリント基板４６のＸ１方向の端部は切り欠き部４６ａとなっている。切り欠き部４６ａよりもＸ１側のスペースを液晶表示部２０のフレキシブル基板２５が通過している。操作プリント基板４６はシャッタースイッチ４８とズーム接点部４９を実装している。
【００２２】
図４は、上ユニット２０の部分拡大透過平面図である。一点鎖線で示すズームレバー４５に力を加え、トーションバネ４２の反力に抗してシャッタースイッチ４８を中心に回転させる。すると、ズーム速度切替えブラシ４５ａの金属ブラシ部４５ｂがズーム接点部４９に接触してこれと導通し、ズーム非作動の中立位置Ａ、低速ズーム域Ｂ、高速ズーム域Ｃのいずれかの領域に移動する。金属ブラシ部４５ｂを、図４に示すように、シャッタースイッチ４８に関して液晶表示部２０のフレキシブル基板２５と反対側に配置することによって撮像装置を小型、特に薄型にすることができる。また、液晶表示部２０のフレキシブル基板２５の上には、フレキシブル基板２５に影響を与えない機械構成要素であるトーションバネ４２が配置されているので、信号品質を維持して小型化を図ることができる。
【００２３】
液晶表示部２０は、表示パネルとしての液晶パネル２１とフレキシブル基板２５を有する。液晶パネル２１は、偏光フィルタ、ガラス基板、液晶、光源などを有し、撮像しようとする被写体像や撮像済み画像を表示する。液晶パネル２１は、操作ボタン群１３に近い側面２２ａの接合部２３においてフレキシブル基板２５とＡＣＦ（Ａｎｉｓｏｔｒｏｐｉｃ  Ｃｏｎｄｕｃｔｉｖｅ  Ｆｉｒｍ）接合されている。フレキシブル基板２５は、液晶パネル２１に信号を送信する。
【００２４】
フレキシブル基板２５は、デジタルカメラの背面にある液晶パネル２１をデジタルカメラの前面にあるメインプリント基板１０のコネクタ１１に接続している。フレキシブル基板２５は、第１の部分２６、第２の部分２７、第３の部分２８を有し、一端が液晶パネル２１の接合部２３に接続され、他端がメインプリント基板１０のコネクタ１１に接続されている。
【００２５】
第１の部分２６は、液晶パネル２１の液晶パネル面に平行なＸＺ平面に配置され、側面２２ａの接合部２３からＸ１方向に導出され、その後、導出方向が９０度変更されるように屈曲されて上方向（Ｚ１方向）に延びている。なお、液晶パネル２１の側面２２ａは、シャーシ部材１５の背面である第１面、前面である第２面および上面である第３面のいずれにも直交する平面（第４面）と平行な平面である。
【００２６】
第２の部分２７は、第１の部分２６から９０度屈曲して液晶パネル２１の液晶パネル面に垂直なＸＹ平面（シャーシ部材１５の第３面）においてＹ方向（Ｙ１方向）に延びている。第３の部分２８は、第２の部分２８から９０度屈曲してＺ方向（Ｚ２方向）に延びている。
【００２７】
デジタルカメラの背面にある液晶パネル２１をデジタルカメラの前面にあるメインプリント基板１０に接続するために、接合部２３からまっすぐ延ばしたフレキシブル基板をデジタルカメラの側面でターンさせてメインプリント基板１０に接続することが考えられる。しかし、これではフレキシブル基板の反発力によって応力が生じ、ＡＣＦ層が剥離するおそれがある。本実施例のフレキシブル基板２５は接合部２３から曲げて延出させているので、フレキシブル基板２５の反発力はＡＣＦ層が剥離する方向に作用しない。
【００２８】
また、フレキシブル基板２５が、液晶パネル２１の背面を通過したり、操作プリント基板４６の直下を通過したりすると、フレキシブル基板２５から発生するノイズが液晶パネル２１の金属製の背面ベゼルと操作プリント基板４６に移り、増幅されるおそれがある。本実施例のフレキシブル基板２５は液晶パネル２１の背面を通過しておらず、また、操作プリント基板４６から離れた位置を通過しているので、フレキシブル基板２５から発生するノイズが増幅されることはない。
【００２９】
具体的には、第１の部分２６が液晶パネル２１の上面２２ｂから導出されるとフレキシブルプリント基板２５はシャーシ部材１５の前面側に向かう際に操作プリント基板４６の直下を通過することになるので、第１の部分２６は側面２２ａから導出されている。また、フレキシブル基板２５の導出方向が９０度変換されないと撮像装置のＸ方向の長さが長くなったり、コネクタ１１を縦型にして仕様を変更したりするなどが必要となって好ましくない。
【００３０】
更に、フレキシブル基板２５は、断面がほぼＵ字形状を有し、接合部２３からコネクタ１１まで大きく迂回せずに（Ｘ方向への移動量が少なく）延びている。このため、フレキシブル基板２５の長さをできるだけ短くしてインピーダンスを低くすることができる。
【００３１】
フレキシブル基板２５の第１の部分２６と第２の部分２７の少なくとも一方（本実施例では両方）は、図１に示すように、シャーシ部材１５と接触してこれによって支持されている。このように、フレキシブル基板２５は、シャーシ部材１５の背面から上面を経由してメインプリント基板１０のコネクタ１１に係合されるまでシャーシ部材１５でシールドされている。これによって、撮像装置本体内の電子部品に、フレキシブル基板２５から放射されるＥＭＩの影響を少なくすることができる。
【００３２】
フレキシブル基板２５は、画像信号やクロック信号等を高速伝送する際にＥＭＩ源となるが、フレキシブル基板２５を直接にメインプリント基板１０に接続しているのでインピーダンスを低く抑えてノイズ発生を抑制することができる。また、フレキシブル基板２５と操作ボタン群１３のフレキシブル基板は、撮像装置の長さ方向（Ｘ方向）で重ならないため、互いのＥＭＩの影響を受けることが少ない。
【００３３】
操作プリント基板４６は、ベース部材４１の直下に配置され、操作プリント基板４６を切り欠いて設けたスペースにフレキシブル基板２５が挿通されている。フレキシブル基板２５はシャーシ部材１５と液晶表示部２０が配置されている背面から上面を経由して前面でメインプリント基板１０のコネクタに接続されている。
【００３４】
以上、本実施例は、フレキシブル基板２５に過度の負荷をかけず、また、液晶パネル２１や操作プリント基板４６と重ねて配置しないため、デジタルカメラ内の電子部品に対してフレキシブル基板２５が与えるＥＭＩの影響を低減することができる。
【実施例２】
【００３５】
図５は、実施例１のデジタルカメラ（電子機器、撮像装置）の正面側の部分分解斜視図、図６は、その背面側の部分分解斜視図である。実施例１と同一の部材には同一の参照符号を付している。シャーシ部材１５には、液晶表示部２０と、操作ボタン群（操作部）１３を含む操作ボタンユニット（操作ユニット）と、がネジ等によって固定されている。
【００３６】
本実施例では、フレキシブル基板２５と操作ボタン群１３のフレキシブル基板１３ａは、撮像装置の長さ方向（Ｘ方向）で部分的に重なるように配置されている。また、フレキシブル基板１３ａは、操作ボタンユニットの背面に配置されて金属材料から構成されているプレート１６で支持され、グランドに電気的に接続されている。
【００３７】
この結果、フレキシブル基板２５は、シャーシ部材１５とプレート１６で二重にシ−ルドされ、フレキシブル基板２５が発生するＥＭＩを低減することができ、不要輻射ノイズが外装カバーの外部に漏洩することも防止することができる。
【００３８】
実施例１と同様に、フレキシブル基板２５は操作プリント基板４６のＸ１方向の外側に配置されている。また、図５に示すように、フレキシブル基板１３ａも操作プリント基板４６のＸ１方向の外側に配置されているが、フレキシブル基板２５よりも操作プリント基板４６に近い。即ち、フレキシブル基板２５もフレキシブル基板１３ａも操作プリント基板４６とは重なって配置されていない。
【００３９】
図７は、操作ボタンユニット１４の背面側の斜視図である。プレート１６は、シャーシ部材１５にビスを通すための貫通孔を有する一対の固定部１６ａを有する。プレート１６は、操作ボタン群１３を支持する領域とフレキシブル基板２５と重なる領域は、少なくとも支持されている。
【００４０】
プレート１６は、フレキシブル基板２５と重ならない上面は支持していない。これは、シャーシ部材１５以外は、シャーシ部材１５と電気的に接続される締結部より離れた形状が設けられると、そこがアンテナとなって不要輻射ノイズが外装カバーの外部に漏洩するおそれがあるからである。
【００４１】
実施例１及び２によって、液晶表示部２０と撮像装置本体内の電子回路の接続にフレキシブルプリント基板２５を用いることで撮像装置の小型化を実現し、フレキシブル基板２５から発生するＥＭＩを抑制した電子機器（撮像装置）を提供することができる。
【００４２】
以上、本発明の好ましい実施形態について説明したが、本発明はこれらの実施形態に限定されず、その要旨の範囲内で種々の変形及び変更が可能である。
【００４３】
本実施形態においては、屈曲（偏向）光学系を有した撮像ユニットを用いて説明したが、通常の光学系の撮像ユニットに対しても適用可能である。また、本発明が適用可能な電子機器はデジタルカメラに限定されず、ＰＤＡ、ノート型ＰＣ、ゲーム機など他の電子機器を含む。
【産業上の利用可能性】
【００４４】
電子機器は電子的な処理の用途に適用することができる。
【符号の説明】
【００４５】
１０                        メインプリント基板（第１のプリント配線板）
１５                        シャーシ部材
２０                        液晶表示部
２５                        フレキシブル基板
４２                        トーションバネ
４５                        ズームレバー
４６                        操作プリント基板（第２のプリント配線板）
【図１】
2012032640.tif 000003
【図２】
2012032640.tif 000004
【図３】
2012032640.tif 000005
【図４】
2012032640.tif 000006
【図５】
2012032640.tif 000007
【図６】
2012032640.tif 000008
【図７】
2012032640.tif 000009